(57)【要約】【課題】  回転ドラムの内周面に配置されたリフターの構造を改善して乾燥性能を向上させた衣類乾燥機を提供すること。【解決手段】  本発明の衣類乾燥機は、洗濯物が入る回転ドラムと、前記回転ドラムの内周面に配置される複数のリフターとを含む。前記リフターは異なる高さをもつ少なくとも一つの第１段面と第２段面を具備して段差を形成することにより、リフターにより持ち上げられた洗濯物が回転ドラムの上部から容易に放されるようにする。前記少なくとも一つの第１段面は一対からなって前記リフターの先端部と後端部に配置され、前記第２段面は前記一対の第１段面の間に前記第１段面より低い高さで配置される。【選択図】  図２
2005144151.tif 000002
【特許請求の範囲】
【請求項１】
洗濯物が入る回転ドラムと、
前記回転ドラムの内周面に配置される複数のリフターと、を含み、
前記リフターは段差のある構造からなり、前記リフターにより持ち上げられる洗濯物が前記リフターから容易に放されることを特徴とする衣類乾燥機。
【請求項２】
前記リフターは異なる高さをもつ少なくとも一つの第１段面と第２段面を具備して段差を形成することを特徴とする、請求項１に記載の衣類乾燥機。
【請求項３】
前記少なくとも一つの第１段面は一対からなって前記リフターの先端部と後端部に配置され、前記第２段面は前記一対の第１段面の間に前記第１段面より低い高さで配置されたことを特徴とする、請求項２に記載の衣類乾燥機。
【請求項４】
前記少なくとも一つの第１段面は一対からなって前記リフターの先端部と後端部に配置され、前記第２段面は前記一対の第１段面の間に前記第１段面より高い高さで配置されたことを特徴とする、請求項２に記載の衣類乾燥機。
【請求項５】
洗濯物が入り、その内周面に複数のリフターが配置された回転ドラムを具備した衣類乾燥機において、
前記各リフターは少なくとも一つの上部面と少なくとも一つの下部面とを具備してなり、前記回転ドラムの下部から前記上部面と下部面により持ち上げられた洗濯物が前記回転ドラムの上部から容易に放されることを特徴とする衣類乾燥機。
【請求項６】
前記少なくとも一つの上部面は一対からなってそれぞれ前記リフターの先端部と後端部に配置され、前記少なくとも一つの下部面は前記一対の上部面の間に配置されることを特徴とする、請求項５に記載の衣類乾燥機。
【請求項７】
前記少なくとも一つの下部面は一対からなってそれぞれ前記リフターの先端部と後端部に配置され、前記少なくとも一つの上部面は前記一対の下部面の間に配置されることを特徴とする、請求項５に記載の衣類乾燥機。
【請求項８】
前記少なくとも一つの下部面は前記少なくとも一つの上部面より狭い幅で形成されたことを特徴とする、請求項５に記載の衣類乾燥機。
【請求項９】
ハウジングを具備した衣類乾燥機において、
ハウジングに設置される回転ドラムと、
前記回転ドラムの内周面に突出されて第１端面と第２端面を形成し、第１端面はドラムの回転時に第２端面より先にハウジングの固定位置を通過するリフターと、を含むことを特徴とする衣類乾燥機。
【請求項１０】
前記第１端面は第２端面より前の方に前記ドラムの内周面から突出されたことを特徴とする、請求項９に記載の衣類乾燥機。
【請求項１１】
前記第２端面は第１端面より前の方に前記ドラムの内周面から突出されたことを特徴とする、請求項９に記載の衣類乾燥機。
【請求項１２】
前記第１端面は一対からなって前記第２端面の反対端に軸方向に配置されることを特徴とする、請求項９に記載の衣類乾燥機。
【請求項１３】
前記第２端面は一対からなって前記第１端面の反対端に軸方向に配置されることを特徴とする、請求項９に記載の衣類乾燥機。
【請求項１４】
前記リフターの内部構造は、
リブと、
リフターを前記ドラムに固定させる螺子締付穴と、を具備することを特徴とする、請求項９に記載の衣類乾燥機。
【請求項１５】
前記リフターと前記ドラムは必須不可欠な構成要素であることを特徴とする、請求項９に記載の衣類乾燥機。
【請求項１６】
ハウジングを含む衣類乾燥機は、
ハウジング内の軸周囲を回転するように配置されるドラムと、
前記ドラムの内周面から軸に向って突出し、前記ドラムの回転方向に段差のある表面をもつリフターと、を具備することを特徴とする衣類乾燥機。
【発明の詳細な説明】
【技術分野】
【０００１】
本発明は、衣類乾燥機に関し、特に回転ドラムの内周面に軸線方向に配置されたリフターの構造を改善して乾燥性能を向上させた衣類乾燥機に関する。
【背景技術】
【０００２】
一般に、衣類乾燥機はハウジングの内部に水平に配置された回転ドラムが一方向に低速回転しながらこの回転ドラムを通過する熱風により洗濯物を乾燥させる装置である。
【０００３】
このような衣類乾燥機は、洗濯物が入る回転ドラムと、回転ドラムに高温の空気を供給する吸気ダクトと、回転ドラムを循環した高温の空気を排気させる排気ダクトと、洗濯物を迅速に乾燥させるために回転ドラムを回転させる回転装置と、を具備する。
【０００４】
吸気ダクトの内部にはヒーターが設置されて前記吸気ダクトの内部に流入する空気の温度を高めて、排気ダクトの内部には排気ファンが設置されて吸気ダクトを通じて回転ドラムに流入した高温の空気を回転ドラムの外部に強制排気させることになる。
【０００５】
回転装置は回転力を提供する駆動モータと、駆動モータの回転軸と連結されて回転ドラムの外周面を覆うベルトと、を具備してなり、駆動モータが作動するとベルトが回転しながら回転ドラムを回転させることになる。
【０００６】
かつ、回転ドラムの内周面には洗濯物の乾燥をより迅速にかつ効率よく行うために、回転ドラムの回転により洗濯物を回転ドラムの上部に引き上げた後に再び回転ドラムの下部に落とす複数のリフターが軸線方向に配置されている。
【０００７】
したがって、駆動モータと排気ファン、ヒーターが作動すれば、回転ドラムが低速回転すると同時に吸気ダクトを通じて高温の空気が回転ドラムの内部に流入されて回転ドラムの内部に入っている洗濯物がリフターにより上部から下部に落ちて高温の空気と接触しながら乾燥され、洗濯物と接触して湿度が高くなった空気は排気ダクトを通じて衣類乾燥機の外部に強制排出されることになる。
【０００８】
しかし、従来の衣類乾燥機におけるリフターは、回転ドラムに対して全体的に軸線方向構造体から形成されており、回転ドラムの回転によりリフターが回転しても前記リフターの表面に付着した洗濯物は回転ドラムの上部から放されず引き続きリフターの表面に付着した状態で回転し続けることになる。よって、洗濯物が高温の空気と十分に接触できなくて、洗濯物の乾燥がうまく行われず、乾燥時間が長すぎるという短所がある。
【発明の開示】
【発明が解決しようとする課題】
【０００９】
従って、本発明は、前述した従来の問題点を解決するために案出されたものであり、回転ドラムの内周面に配置されたリフターの構造を改善して乾燥性能を向上させることにその目的がある。
【課題を解決するための手段】
【００１０】
前記目的を達成するために、本発明による衣類乾燥機は、洗濯物が入る回転ドラムと、前記回転ドラムの内周面に配置される複数のリフターと、を含み、前記リフターは段差のある構造からなり、前記リフターにより持ち上げられる洗濯物が前記リフターから容易に放されることを特徴とする。
【００１１】
かつ、本発明の実施例において、前記リフターは異なる高さをもつ少なくとも一つの第１段面と第２段面を具備して段差を形成することを特徴とする。
【００１２】
かつ、本発明の実施例において、前記少なくとも一つの第１段面は一対からなって前記リフターの先端部と後端部に配置され、前記第２段面は前記一対の第１段面の間に前記第１段面より低い高さで配置されたことを特徴とする。
【００１３】
かつ、本発明の実施例において、前記少なくとも一つの第１段面は一対からなって前記リフターの先端部と後端部に配置され、前記第２段面は前記一対の第１段面の間に前記第１段面より高い高さで配置されたことを特徴とする。
【発明の効果】
【００１４】
本発明に係る衣類乾燥機は、段差のある構造からなるリフターにより洗濯物がリフターの表面から容易に分離されるため、洗濯物を満遍なく乾燥できる上に乾燥時間が短縮されて洗濯物の乾燥性能が向上される効果がある。
【発明を実施するための最良の形態】
【００１５】
以下、本発明に係る好ましい実施形態を添付図面を参照しつつ詳細に説明する。
【００１６】
図１は本発明による衣類乾燥機の構造を示した概略断面図である。図１に示すように、衣類乾燥機は大体箱状の外観をなしているハウジング１と、前記ハウジング１の内部に設置されて洗濯物が入る回転ドラム２と、前記回転ドラム２を回転させて洗濯物を迅速に乾燥させる回転装置３と、外部空気を回転ドラム２内で循環させる吸気ダクト７および排気ダクト８と、を具備する。
【００１７】
回転ドラム２は前面と後面が開放されており、前記開放された回転ドラム２の前面と後面にはそれぞれ前面パネル９と後面パネル１０と、が配置されて回転ドラム２を回転可能な状態に密閉させる。
【００１８】
回転装置３は回転力を提供する駆動モータ４と、前記駆動モータ４の回転軸に結合されて回転するプーリ５と、回転ドラム２の外周面とプーリ５に巻線されたベルト６とを具備して構成される。よって、駆動モータ４が低速で回転すると、プーリ５と共にベルト６が回転されることにより回転ドラム２が回転する。
【００１９】
吸気ダクト７はその入口部が開放されており、その出口部が後面パネル１０に結合されて形成され、この吸気ダクト７の内部にはヒーター１１が配置されて吸気ダクト７に流入する空気を加熱させる。
【００２０】
吸気ダクト７に外部空気を流入させるために、ハウジング１の後面板１ａには吸気穴(図示せず)が形成されており、前記吸気ダクト７から回転ドラム２に高温の空気を流入させるために、後面パネル１０には連通穴１０ａが形成されている。
【００２１】
排気ダクト８はその入口部が前面パネル９に結合されており、その出口部が開放された状態でハウジング１の外部に延在して形成されている。よって、空気がハウジング１の外部から吸気ダクト７を通じて回転ドラム２に流入した後、排気ダクト８を経て再びハウジング１の外部に強制排出されることになる。
【００２２】
ハウジング１の前面には前面パネル９を通じて回転ドラム２の内部に洗濯物を入れたり回転ドラム２から洗濯物を取り出せるようにドア１３がヒンジ結合されている。
【００２３】
かつ、回転ドラム２の内周面には複数のリフター２０が一定間隔で配置されて、回転ドラム２が回転することにより洗濯物を回転ドラム２の上部に引き上げた後に一定高さで回転ドラム２の下部に落下させて洗濯物を満遍なく乾燥させる。
【００２４】
次に、図２〜図４を参照して本発明によるリフターの構造に関して説明する。
【００２５】
図２は、図１に示すリフター２０を示した斜視図であり、図３および図４は、それぞれリフター２０を前方と後方から見た斜視図である。
【００２６】
図２に示すように、回転ドラム２は前面と後面が開放されており、乾燥過程中にベルト６(図１を参照)により一方向(図２において、矢印方向に表記される)に低速で回転し、リフター２０はこのような回転ドラム２の内周面に一定間隔で軸線方向に配置される。
【００２７】
したがって、回転ドラム２が図２に示す矢印方向に低速回転すると、洗濯物は回転ドラム２の下部からリフター２０により上部に引き上げられた後、回転ドラム２の上部でリフター２０から分離されて回転ドラム２の下部に落下される。よって、洗濯物が回転ドラム２を通過する高温の空気と満遍なく接触することにより、迅速にかつ均一に乾燥できるようになる。
【００２８】
図３に示すように、各リフター２０は洗濯物がリフター２０の表面に付着して分離できないことを防止するために、異なる高さをもつ第１段面２１と第２段面２２と、を具備して段差のある構造に形成される。
【００２９】
第１段面２１は一対からなってリフター２０の先端部と下端部に同一な高さで配置され、第２段面２２は前記一対の第１段面２１の間に相対的に低い高さで配置されて、洗濯物を引き上げるリフター２０の表面に段差が生じることになる。かつ、相対的に高さの低い第２段面２２の幅Ｗ１は相対的に高さの高い第１段面２１の幅Ｗ２より狭く形成される。本発明の他の実施例(図示せず)において、第１段面２１が第２段面２２より高く配置されるように、第１段面２１と第２段面２２をリフター２０にさらに配置することも可能である。
【００３０】
したがって、第１段面２１はリフター２０の上部面を形成し、第２段面２２はリフター２０の下部面を形成して洗濯物を引き上げることになる。本発明の他の実施例(図示せず)によると、第２段面２２の高さを第１段面２１の高さより高くして各第１段面２１の間に配置することにより、リフター２０の中間部をリフター２０の先端部および後端部より高く形成することも可能である。本発明のさらに他の実施例(図示せず)において、第２段面２２が第１段面２１より高く配置されるように、第１段面２１と第２段面２２をリフター２０に追加的に配置することも可能である。
【００３１】
前記のようなリフター２０の段差構造により、リフター２０の直上部に配置された衣類または洗濯物Ｌ(図２を参照)は第２段面２２上に密着しない状態で持ち上げられ、よってリフター２０が回転ドラム２の上部に移動するとリフター２０から容易に放されることになる。
【００３２】
図４に示すように、回転ドラム２の内周面と接触して結合されるリフター２０の固定端部は開放された構造で形成され、前記開放された固定端部を通じてリフター２０の内側に複数のリブ２３とボス２４が設けられる。
【００３３】
各ボス２４は螺子山の形成された締付穴２４ａを具備して回転ドラム２の外周面に螺子２５(図２を参照)により結合されることにより、リフター２０が回転ドラム２の内周面に固定できる。
【００３４】
本発明の他の実施例(図示せず)において、前記リフター２０は前記回転ドラム２の形成に必須不可欠な構成要素である。
【００３５】
次に、前記のように構成された本発明による衣類乾燥機により洗濯物が乾燥される過程を説明する。
【００３６】
まず、洗濯物を回転ドラム２に入れてドア１３を閉めてから、駆動モータ４、排気ファン１２、ヒーター１１を作動させると、回転ドラム２が図２の矢印方向に低速回転すると同時にハウジング１の外部から吸気ダクト７に空気が流入する。
【００３７】
前記回転ドラム２が回転することにより、洗濯物は回転ドラム２の下部から上向きに持ち上げられた後、回転ドラム２の上部から下部に落とされる。かつ、吸気ダクト７に流入した空気はヒーター１１により加熱されて後面パネル１０の連通穴１０ａを通じて回転ドラム２に送られる。
【００３８】
したがって、回転ドラム２に流入された高温の空気が回転ドラム２を通過しながらリフター２０により周期的に位置が変わる洗濯物を迅速にかつ均一に乾燥させる。
【００３９】
この際、洗濯物は回転ドラム２の下部でリフター２０により第２段面２２上に密着しない状態で引き続き持ち上げられて、前記リフター２０が一定高さに移動するとリフター２０から容易に放されて回転ドラム２の下部に落ちることになる。
【００４０】
一方、回転ドラム２で洗濯物と接触して湿度が高くなった空気は排気ダクト８を通じてハウジング１の外部に排出されると同時に、新たな空気が吸気ダクト７を通過しながら加熱されて回転ドラム２に流入する過程を繰り返すことにより洗濯物が乾燥される。
【００４１】
前述したように、本発明による衣類乾燥機は段差のある構造からなるリフターにより洗濯物がリフターの表面から容易に分離されるため、洗濯物を満遍なく乾燥できる上に乾燥時間が短縮されて洗濯物の乾燥性能が向上する効果がある。
【００４２】
以上、本発明を具体的な実施例に上げて説明してきたが、本発明の思想を逸脱しない範囲内で様々な変形が可能であることは当業者にとって自明であり、従って、本発明の範囲は特許請求の範囲及びその均等物によって定められるべきである。
【図面の簡単な説明】
【００４３】
【図１】本発明による衣類乾燥機の構造を示す概略断面図である。
【図２】図１に示すリフターの斜視図である。
【図３】図１に示すリフターを前方から見た斜視図である。
【図４】図１に示すリフターを後方から見た斜視図である。
【符号の説明】
【００４４】
１  ハウジング
１ａ  後面板
２  回転ドラム
３  回転装置
４  駆動モータ
５  プーリ
６  ベルト
７  吸気ダクト
８  排気ダクト
９  前面パネル
１０  後面パネル
１０ａ  連通穴
１１  ヒーター
１２  排気ファン
１３  ドア
２０  リフター
２１  第１断面
２２  第２断面
２３  リブ
２４  ボス
２４ａ  締付穴
２５  螺子
Ｌ  洗濯物
Ｗ１  第２断面の幅
Ｗ２  第１断面の幅
【図１】
2005144151.tif 000003
【図２】
2005144151.tif 000004
【図３】
2005144151.tif 000005
【図４】
2005144151.tif 000006